【事件の表示】
　特許第2845047号　「ワイピング化粧シート」の請求項１に係る特許に対する異議の申立てについて、次のとおり決定する。
【結　論】
　訂正を認める。
　特許第2845047号の訂正後の請求項１に係る特許を維持する。
【理　由】
１．手続の経緯
　本件特許第２８４５０４７号は、平成４年９月２日に出願されたものであって、平成１０年１０月３０日にその特許の設定登録がなされ、その後株式会社ディスクより特許異議の申立てがなされ、取消理由通知がなされ、その指定期間内である平成１１年１２月９日に訂正請求がなされたものである。
２．訂正の適否
（１）．訂正の内容
  請求された訂正の内容は、訂正請求書の記載からみて、次のとおりのものである。
ア．特許請求の範囲の請求項１を、「【請求項１】充填材及び着色顔料を含有した隠蔽性を有する結晶性ポリオレフィン系樹脂より成る基材シート上に、アミド系あるいはウレタン系のインキより成る任意の絵柄インキ層と、ポリブテン−１もしくはポリオレフィン系熱可塑性エラストマーより成る透明樹脂とが順次積層され、前記透明樹脂層の表面にはエンボス凹部が設けられ、該エンボス凹部は着色インキで充填されて成ることを特徴とするワイピング化粧シート。」と訂正し、
イ．明細書の段落番号【０００６】を、「【０００６】【課題を解決するための手段】本発明は上記課題を解決するために考えられたものであり、請求項１の発明は、充填材及び着色顔料を含有した隠蔽性を有する結晶性ポリオレフィン系樹脂より成る基材シート上に、アミド系あるいはウレタン系のインキより成る任意の絵柄インキ層と、ポリブテン−１もしくはポリオレフィン系熱可塑性エラストマーより成る透明樹脂とが順次積層され、前記透明樹脂層の表面にはエンボス凹部が設けられ、該エンボス凹部は着色インキで充填されて成ることを特徴とするワイピング化粧シートである。」と訂正する。
（２）．訂正の適否判断
Ａ．本件訂正において、明細書の特許請求の範囲を前記ア．のように訂正することは、「ポリオレフィン系樹脂より成る基材シート」を「結晶性ポリオレフィン系樹脂より成る基材シート」に限定し、「絵柄インキ」を「アミド系あるいはウレタン系の絵柄インキ」に限定するものであるから、いずれも特許請求の範囲の減縮を目的とするものであり、また、明細書の段落番号【０００６】を前記イ．のように訂正することは、特許請求の範囲の訂正に伴い、これに整合させるために明細書の発明の詳細な説明の記載を訂正するものであって、明りょうでない記載の釈明を目的とするものに相当し、当該事項のうち上記の「結晶性ポリオレフィン系樹脂より成る基材シート」は、願書に添付された明細書の【０００７】及び実施例１にに記載され、「アミド系あるいはウレタン系のインキ」であることは【００１０】及び実施例１に記載されていることから、前記訂正ア．及びイ．は、願書に添付した明細書に記載された事項の範囲内のものであり、かつ特許請求の範囲を実質上拡張し又は変更するものであるとも認められない。
Ｂ．次に、訂正後の特許請求の範囲の請求項１に記載された発明（以下、「訂正後の本件発明」という。）が、本件出願の際独立して特許を受けることができるものであるかどうかについて、以下で検討する。
  当審で通知した取消理由は、本件請求項１に係る発明は、その出願の日前の出願であって、その出願の後に出願公開された特願平４−１９４７５１号の願書に最初に添付した明細書に記載され発明と同一であると認められ、しかも、本件請求項１に係る発明の発明者が上記出願明細書に記載された発明の発明者と同一であるとも、この出願の時において、その出願人が上記の他の出願の出願人と同一であるとも認められないので、本件特許は特許法第２９条の２第１項の規定に違反して特許されたものであるというものであるから、以下に訂正後の本件発明について、前記理由を検討する。
  上記出願の願書に最初に添付した明細書（以下、先願明細書という。）には、「【請求項１】オレフィン系熱可塑性エラストマーからなることを特徴とする化粧シート。【請求項２】オレフィン系熱可塑性エラストマーからなる基材シートを用いたことを特徴とする化粧シート。【請求項３】基材シートに絵柄を設けた請求項２記載の化粧シート。【請求項４】基材シートにエンボスを設けた請求項２記載の化粧シート。」（特許請求の範囲）が記載されている。
  訂正後の本件発明と上記先願明細書に記載の発明を対比すると、訂正後の本件発明は、結晶性ポリオレフィン系樹脂より成る基材シートを用いるものであるのに対し、上記先願明細書に記載の発明は、オレフィン系熱可塑性エラストマーからなる基材シートを用いるものであるから、両者はその基材シートの材料を異にする。そして、上記先願明細書には、他に、結晶性ポリオレフィン系樹脂より成る基材シートを用いる化粧シートは記載されていない。
  したがって、訂正後の本件発明が、先願明細書に記載された発明と同一であるとはいえない。
  また、下記のとおり本件特許異議申立の理由及び証拠によっても、訂正後の本件発明を特許すべきでないとすることはできず、他に訂正後の本件発明が特許出願の際独立して特許を受けることができないとすべき理由を発見しない。
（３）．むすび
  以上のとおりであるから、上記訂正請求は、特許法等の一部を改正する法律（平成六年法律第１１６号）附則第６条第１項の規定によりなお従前の例によるとされる、特許法第１２０条の４第２項、同条第３項で準用する第１２６条第２〜４項の規定に適合するので、当該訂正を認める。
３．特許異議申立の判断について
（１）．株式会社ディスクの異議申立て
  甲第１号証（特願平４−１９４７５１号−特開平６−１６８３２号公報）、甲第２号証（特公昭５３−３４２１０号公報）、甲第３号証（特開昭５８−１１０７５１号公報）、甲第４号証（特開平１−１８０３３８号公報）、甲第５号証（特開平３−２４３３４２号公報）、甲第６号証（特開平４−２４４８４１号公報）、甲第７号証（特公昭５８−１４３１２号公報）、甲第８号証（特表平４−５０４３８４号公報）及び甲第９号証（特公昭５２−２４５５２号公報）を提出し、ア．訂正前の本件発明１は甲第２号証ないし甲第４号証の記載を参照すれば甲第１号証に記載された発明であるから、特許法第２９条の２第１項の規定に違反してなされたものであり、イ．本件発明１は甲第５号証ないし甲第９号証記載の発明に基づいて当業者が容易に発明できたものであるから、訂正前の本件発明１に係る特許は特許法第２９条条第２項の規定に違反してなされたものであるとして、本件特許を取り消すべきであるとする特許異議の申立を行った。
（２）．判断
  甲第１号証については、上記２．（２）．Ｂ．に示したとおりの理由で、訂正後の本件発明が前記甲第１号証に記載された発明と同一であるとはいえない。
  つぎに、甲第５号証には、その特許請求の範囲に、「（１）成形性のよいプラスチックの基材シート上に、透明ないし半透明なエラストマー層を設けてなる成形用化粧シート。（２）基材シートの材料として、ポリ塩化ビニル、ポリ塩化ビニリデン、ポリスチレン、ＡＢＳ樹脂、アクリル樹脂、ポリオレフィン、セルロース誘導体、ポリアミド、ポリエステル、ポリビニルアルコール、ポリカ−ボネ−ト、ポリエチレンナフタレ−トおよびポリエーテルエーテルケトンからえらんだものを使用し、エラストマー層として、ウレタン系、オレフィン系、エステル系およびスチレン系からえらんだものを使用した請求項１の成形用化粧シート。（３）エラストマー層の上に、さらに透明なプラスチックの保護層を設けた請求項１の成形用化粧シート。（４）基材シートとエラストマー層との間に絵柄印刷層を有する請求項１の成形用化粧シート。」と記載され、実施例１には、ウレタン系エラストマ−シートに、抽象柄をグラビア印刷し、ＡＢＳ樹脂シートからなる基材シートの上に、接着剤を介して、印刷面が内側になるように重ね、加圧して成形用化粧シートを得たことが、記載され、実施例２には、ＰＶＣシートを基材シートとし、その上に皮革調の絵柄をグラビア印刷し、その上にウレタン系エラストマーのシートを重ね、皮シボ調のエンボス版でダブリングエンボスして成形用化粧シートを得たことが記載されており、甲第６号証には、（Ａ）プロピレンーエチレンブロック共重合体、（Ｂ）高密度ポリエチレン、及び（Ｃ）無機フィラーから成る熱可塑性樹脂層と、（Ｄ）ポリオレフィン系熱可塑性エラストマーから成る層とからなる熱成形用シートであって、（Ａ）プロピレンーエチレンブロック共重合体の含有量と（Ｂ）高密度ポリエチレンの含有量の比率〔（Ａ）／（Ｂ）〕が６．０〜１．５（重量比）であり、（Ｃ）無機フィラーの熱可塑性樹脂層に於ける含有量が２０〜４０重量％であり、かつ（Ｂ）高密度ポリエチレンの、２３０℃でシアーレート１０（ｓｅｃー１）に於ける見掛けの粘度が８×１０４ 〜３×１０５ （ｐｏｉｓｅ）である熱成形用シートが記載されており、甲第７号証には、着色熱可塑性シートの表面に印刷模様層が設けられ、該着色熱可塑性シート上に上記印刷模様を挟んで透明熱可塑性シートが積層され、上記透明熱可塑性シートと着色熱可塑性シートの積層物に凹陥模様がエンボスされ、該凹陥模様の凹部には着色剤が充填され、前記着色剤は、フェノール系樹脂、尿素系樹脂、メラミン系樹脂、エポキシ系樹脂、ポリエステル系樹脂、ポリウレタン系樹脂から選ばれた熱硬化性樹脂をビヒクルの構成材料とする塗料若しくはインキ又は紫外線硬化塗料若しくは紫外線硬化性インキからなる化粧シートが記載されており、最適な着色熱可塑性シートは、ポリ塩化ビニルフィルムであると記載されており、甲第８号証には、下シート、中間シート及び上シートからなる床又は壁カバー用シートであって、下シート、中間シート及び上シートはカレンダ掛け又は押出しにより得られることが記載されており、甲第９号証には、無機質の顔料を含みその表面を多孔状態に活性化したポリオレフィン系樹脂フィルムを、上記活性化した面を基材側にして接着剤により基材に貼着するとともに、上���ポリオレフィン樹脂系フィルムの外面にウレタン樹脂系積層用プライマーを用いて透明樹脂フィルムを積層して設け、上記基材、ポリオレフィン系樹脂フィルムおよび透明樹脂フィルム層からなる積層体を折曲してなる化粧板が記載されており、化粧板を折曲したときにも、ポリオレフィン系樹脂フィルムが白化することがないことが記載されている。
  訂正後の本件発明と甲第５号証ないし甲第９号証の刊行物に記載の発明とを対比すると、甲各号証のいずれにも、結晶性ポリオレフィン系樹脂より成る基材シート上に、絵柄インキ層と、ポリブテン−１もしくはポリオレフィン系熱可塑性エラストマーより成る透明樹脂とが順次積層された化粧シートについて記載も示唆もない。すなわち、甲第５号証のものは、ポリ塩化ビニル樹脂またはＡＢＳ樹脂を基材シートとし、これにウレタン系エラストマーのシートを積層した化粧シートであり、甲第６号証のものは、熱成形用のシートであり、甲第７号証のものは、ポリ塩化ビニルフィルムを用いた化粧シートであり、甲第８号証には、三層のシートがカレンダ掛け又は押出しにより得られることが記載されているのみであり、甲第９号証には、ポリオレフィン樹脂系フィルムの外面にウレタン樹脂系積層用プライマーを用いて透明樹脂フィルムを積層して設けたものは、折り曲げてもポリオレフィン系樹脂フィルムが白化しないことが記載されているのみである。
  したがって、訂正後の本件発明が前記各号証の刊行物に記載された発明に基づき当業者が容易に発明できたものということはできない。
  したがって、異議申立人の主張はいずれも採用できず、本件特許異議申立の理由及び証拠によって本件特許を取り消すことができない。
４．また、他に本件請求項１に係る特許を取り消すべき理由を発見しない。
  よって、結論のとおり決定する。
【異議決定日】
平成１２年２月１５日（２０００．２．１５）
【訂正の要旨】
ア．特許請求の範囲の請求項１を、「【請求項１】充填材及び着色顔料を含有した隠蔽性を有する結晶性ポリオレフィン系樹脂より成る基材シート上に、アミド系あるいはウレタン系のインキより成る任意の絵柄インキ層と、ポリブテン−１もしくはポリオレフィン系熱可塑性エラストマーより成る透明樹脂とが順次積層され、前記透明樹脂層の表面にはエンボス凹部が設けられ、該エンボス凹部は着色インキで充填されて成ることを特徴とするワイピング化粧シート。」と訂正する。
イ．明細書の段落番号【０００６】を、「【０００６】【課題を解決するための手段】本発明は上記課題を解決するために考えられたものであり、請求項１の発明は、充填材及び着色顔料を含有した隠蔽性を有する結晶性ポリオレフィン系樹脂より成る基材シート上に、アミド系あるいはウレタン系のインキより成る任意の絵柄インキ層と、ポリブテン−１もしくはポリオレフィン系熱可塑性エラストマーより成る透明樹脂とが順次積層され、前記透明樹脂層の表面にはエンボス凹部が設けられ、該エンボス凹部は着色インキで充填されて成ることを特徴とするワイピング化粧シートである。」と訂正する。
（５４）【発明の名称】
ワイピング化粧シート
（５７）【特許請求の範囲】
　充填材及び着色顔料を含有した隠蔽性を有する
結晶性
アミド系あるいはウレタン系のインキより成る
【発明の詳細な説明】
　【０００１】
　【産業上の利用分野】
　本発明は、ワイビング化粧シートに関するものであり、木質系ボード類や無機系ボード類、金属板等の板状材にラミネートして化粧板となり、また棒状材、成形物等にラッピングして化粧板となる。さらにこれらは様々な工程を経て家具、家電製品、住宅部材等の製品に加工される。
　【０００２】
　【従来の技術】
　従来のワイピング化粧シートは塩化ビニルシート上に絵柄層及び透明塩化ビニール層を設けエンボス加工を施した後透明塩化ビニール層全面に着色インキを塗布し、次いで表面のインキをドクター等で掻き取り、エンボス凹部のみにインキを残し、さらに必要に応じてトップコート層を設けることにより得られていた。このようにワイピング処理をすることにより意匠性の向上した高級化粧シートを得ることは従来より行われている。しかし、基材となるシート及びワイピング処理を施されるシートとしては塩化ビニールシートが最も一般的であった。
　【０００３】
　しかし、塩化ビニールは焼却時に塩素が発生し、酸性雨やダイオキシン発生の原因になるとも言われており、環境問題の観点からも脱塩化ビニールの要請は強くなってきている。特に包装材料分野では数多くの検討が為され始めている。建材分野でも例外ではなく将来的には脱塩化ビニールに移行すると考えられる。
　【０００４】
　しかし、これまで塩化ビニールシート以外の樹脂シートで建材用途に使用できる適当な樹脂がなかった。これはこれまでの塩化ビニール樹脂以外の樹脂シートでは塩化ビニール樹脂シートの持つ適度な柔軟性やエンボス適性、耐摩耗性、表面硬度、耐薬品性、耐汚染性等のバランスのとれた性質を満たすものが無かったからである。熱可塑性樹脂を押出して積層し同時にエンボスを施す方法は既に当社出願特許として公知であるが、基材シートとして比較的柔軟性に乏しいオレフィンシートを用いており、また使用用途として高級化粧部材用のワイピング化粧シートを得る試みもなされていなかった。
　【０００５】
　【発明が解決しようとする課題】
　本発明は以上の問題点を解決するためになされたものであり、その課題とするところは、塩化ビニール樹脂以外の材料を用いて塩化ビニール樹脂と同等もしくはそれ以上の性質を有したワイピング化粧シートを提供することにある。
　【０００６】
　【課題を解決するための手段】
　本発明は上記課題を解決するために考えられたものであり、請求項１の発明は、充填材及び着色顔料を含有した隠蔽性を有する
結晶性
アミド系あるいはウレタン系のインキより成る
　【０００７】
　以下、本発明を図面に基いて、詳細に説明する。本発明のワイピング化粧シートの断面を模式的に示した図１において、基材シート１としては、主に化粧板として使用することから、充填材及び着色顔料を含有した隠蔽性のポリオレフィン系樹脂より成るものを使用する。これらの例としては、結晶性ポリオレフィン、ポリオレフィン系熱可塑性エラストマーを用いる。具体的には、結晶性オレフィンであるブテン−１のみを主体とするチーグラー触媒により重合された高立体規則性を有するポリブテン−１が望ましいが、これはその純度、分子量、立体規則性から従来のオレフィンには見られなかった柔軟性を示すからである。
　【０００８】
　またオレフィン系の熱可塑性エラストマーが望ましいのは熱可塑性エラストマーがハードセグメントと言われているオレフィンの中にソフトセグメントとして水素添加ブタジエン等のゴムが含まれており、従来のポリオレフィンに無い柔軟性を示すからである。さらに上記の樹脂は無公害性、価格性、顔料添加により着色の容易性でも優れたものである。
　【０００９】
　熱可塑性エラストマーとしてはオレフィンの他にスチレン系、ウレタン系、ポリエステル系等があるがスチレン系は構造から来る着色の困難さ、ウレタン系は耐候性の悪さ、ポリエステル系はフィルムの硬さからくる加工性の悪さから本発明のワイピング化粧シートとしては適さないものである。
　【００１０】
　基材シート１上に施される任意の絵柄インキ層２で用いられるインキとしては、基材シート１との密着性が良ければ良く特に規定されるものではないが、従来塩化ビニールシートに多く用いられている塩化ビニール−酢酸ビニール共重合インキでは若干密着性に劣るため、本発明においてはアミド系あるいはウレタン系のインキが好適である。
　【００１１】
　任意の絵柄インキ層２上に積層されるポリオレフィン系透明樹脂層３としては、基材シート１と同様の理由により結品性オレフィンもしくはオレフィン系熱可塑性エラストマーが望ましい。ただし基材シート１と異なり溶融樹脂層２は透明性が必要となるため顔料添加等による着色は必要としない。
　【００１２】
　これらを積層すると同時にエンボス凹部４を設けたポリオレフィン系透明樹脂層３の全面に着色インキを塗布して、ただちに表面をドクターブレード、ゴムロール等で掻き取って余分なインキを除去し、エンボス凹部のみに着色インキを残してワイピング部５を形成する。さらに必要に応じて表面にトップコート層６を設けることも可能である。
　【００１３】
　ここで着色インキは任意の絵柄インキ層２に用いられているインキと同様のもので良く、特に規定されるものではない。また必要に応じて施されるトップコート層６もその組成は規定されるものでなく、用途により任意に選択可能である。例えば従来塩化ビニール化粧シートで良く使用されているアクリルウレタン系でもいいし、表面の傷防止を目的とするならば適当なプライマー処理をした後、紫外線硬化型樹脂を塗布しても良い。また特に表面の耐汚染性を要求するのであればフッ素系の樹脂を塗布しても良い。
　【００１４】
　【作用】
　以上に示したように、本発明のごとく充填材及び着色顔料を含有した隠蔽性のポリオレフィン系樹脂よりなる基材シートートを使用することにより、塩化ビニールシートと同様な印刷適性、耐熱性、耐候性、柔軟性を付与できることが可能となる。またポリオレフィン系透明樹脂層として結晶性ポリオレフィン又はポリオレフィン系熱可塑性エラストマーを押出機により樹脂を溶融押出すると同時にエンボスの施された冷却ロールに抱かせることで、例えばホログラムに用いられるような非常に微細なエンボスが可能となり、得られたエンボスの耐熱性も優れたものとなる。
　【００１５】
　また以上のようにして得られたシートのエンボス凹部にワイピング処理を行うことにより従来の塩化ビニールシートのワイピング化粧シートと同等の脱塩化ビニールでの高い意匠性を有するワイピング化粧シートが可能となった。
　【００１６】
　【実施例】
＜実施例１＞
基材シートとして、結晶性ポリオレフィンペレット（三井石油化学（株）製：「ポリブテンー１」）を用いて、１００μｍの厚みになるように成形した。得られた基材シート上にグラビア印刷法によりアミド系インキ（東洋インキ製造（株）製：「ＰＡＮＮカラー」）を使用して木目模様を印刷し、該絵柄の施されたシートの上にポリオレフィン系熱可塑性エラストマー（日本合成ゴム（株）：「Ｈ４９００Ｎ」）の溶融物を押出機により押出し該樹脂層をエンボスの施された冷却ロールに通すことにより基材シートと密着させると同時にエンボスを施したシートを得た。この時押し出された樹脂層は５０μｍの厚さになるように調整した。
　【００１７】
　得られたエンボスの施されたシートの表面に絵柄と同様の組成のアミド系インキ（東洋インキ製造（株）製：「ＰＡＮＮカラー」）を均一に塗布し、しかる後インキの感想する前にスキージーにて平坦部のインキのみを除去し、凹部に残った着色インキを室温で３０分乾燥させワイピング化粧シートを作成した。
　【００１８】
＜実施例２＞
　オレフィン系熱可塑性エラストマーフィルム（日本石油化学（株）製：「ソフトレックス」）上に実施例１のインキを実施例１と同様に印刷し絵柄の施された基材シートを得た。この基材シート上に結晶性オレフィン（シェル化学（株）製：「シェルブチレン」）を実施例１と同様に押出機により押出しエンボスの施されたシートを得た。この時基材シートは１００μｍのシートを用い、押出た樹脂層は厚さが１００μｍになるように調整した。
　【００１９】
　得られたエンボスの施されたシートを実施例１と同様にワイピング処理を施しワイピング化粧シートを作成した。
　【００２０】
　実施例で得られたシートはワイピング処理を施しているため非常に意匠性の高いものであった。またエンボスの耐熱性、耐候性等も塩化ビニールシートと比較して遜色の無いものであった。
　【００２１】
　次にこれらのワイピング化粧シートを酢酸ビニール接着材剤により合板に貼着して化粧板を作成したが合板へのラミネート時も塩化ビニールと同様に作業性に優れたものであった。さらに合板にラミネートされた化粧材にＶカット加工を施し０℃の状態で９０度折り曲げ加工を行ったが端部に白化、クラックは見られず寧ろ塩化ビニールシートより冷間での加工性は優れたものであった。
　【００２２】
　【発明の効果】
　以上、詳細に説明したように、本発明のワイピング化粧シートによれば、塩化ビニールを一切使用していないことから塩化ビニールを使用することによる環境問題の心配もなく、かつ物性的には塩化ビニールシートと同等もしくはそれ以上の化粧シートが得られる。また意匠的にも、ワイピング処理を行うことにより非常に高級感溢れる化粧シートとなった。
【図面の簡単な説明】
　【図１】
　本発明によるワイピング化粧紙一実施例の断面を模式的に示した図である。
　【符号の説明】
１…基材シート
２…任意の絵柄インキ層
３…ポリオレフィン系の透明樹脂層
４…エンボス凹部
５…ワイピング部
６…トップコート層